(57)【特許請求の範囲】
【請求項１】
映像を表示する表示手段と、
芳香を射出する芳香射出手段と、
前記芳香射出手段による芳香の射出を制御するための芳香制御情報を記憶する芳香制御情報記憶手段と、
前記表示手段に、前記芳香制御情報の設定内容を表示させる設定情報表示手段と、前記表示手段に表示された前記芳香制御情報に応じて所望の変更内容を入力する入力手段と、前記入力手段によって入力された前記所望の変更内容に基づいて、前記芳香制御情報を前記新たな芳香制御情報に更新する更新手段とを備えて、前記芳香制御情報記憶手段に記憶している前記芳香制御情報の設定内容を変更する設定変更手段と、
前記設定変更手段によって変更された新たな芳香制御情報に基づいて、前記芳香射出手段による芳香の射出を制御する制御手段と、を有し、
前記設定情報表示手段は、前記芳香制御情報に基づいて、前記映像を構成する各場面において射出すべき芳香を構成する各基本芳香の混合割合を示す混合割合表示項目を表示させるとともに、各前記基本芳香の混合割合を調整するための混合割合調整項目を表示させることを特徴とする芳香伝達装置。
【請求項２】
請求項１記載の芳香伝達装置において、
前記設定情報表示手段は、
前記表示手段に、前記芳香射出手段から芳香を射出すべきか又は射出を規制すべきかについて設定するための設定項目を表示させることを特徴とする芳香伝達装置。
【請求項３】
請求項１又は請求項２記載の芳香伝達装置において、
前記設定情報表示手段は、前記芳香制御情報に基づいて、
前記表示手段に、前記映像を構成する各場面に応じて前記芳香射出手段から芳香を射出すべきか否かを設定するための設定項目を表示させることを特徴とする芳香伝達装置。
【請求項４】
請求項１乃至請求項３のいずれか記載の芳香伝達装置において、
前記設定情報表示手段は、前記芳香制御情報に基づいて、
前記表示手段に、前記映像を構成する各場面に応じて前記芳香射出手段から射出すべき芳香の種類を設定するための設定項目を表示させることを特徴とする芳香伝達装置。
【請求項５】
請求項２乃至請求項４のいずれか記載の芳香伝達装置において、
所望の芳香を構成するために組み合わせるべき複数の基本芳香を混合する芳香混合手段と、
前記芳香混合手段に、前記複数の基本芳香のうち、前記設定項目に対する所望の変更事項に基づく新たな芳香制御情報に基づいて選択した基本芳香によって前記所望の芳香を生成させる芳香混合制御手段と
を有することを特徴とする芳香伝達装置。
【請求項６】
請求項５記載の芳香伝達装置において、
前記設定情報表示手段は、
前記芳香混合制御手段が前記芳香混合手段に前記所望の芳香を生成させた場合、前記芳香射出手段に、前記所望の芳香の射出を試行させるためのボタンを前記表示手段に表示させることを特徴とする芳香伝達装置。
【請求項７】
請求項１乃至請求項６のいずれか記載の芳香伝達装置において、
前記芳香射出手段から対象者の鼻までの離間距離を計測する距離計測手段を有し、
前記制御手段は、
前記離間距離に基づいて、前記芳香射出手段から射出された前記芳香が前記対象者の鼻に到達するまでの所要時間を演算し、前記所要時間に応じて前記芳香射出手段による前記芳香の射出タイミングを補正して前記芳香射出手段を制御することを特徴とする芳香伝達装置。
【請求項８】
請求項７に記載の芳香伝達装置において、
前記映像及び音の少なくとも一方を出力する出力源を有し、
前記制御手段は、
前記対象者が芳香を伴う映像または音を視聴するタイミングと、芳香を感じるタイミングが一致するように、前記射出タイミングを補正することを特徴とする芳香伝達装置。
【請求項９】
請求項７記載の芳香伝達装置において、
前記映像及び音の少なくとも一方がコンテンツデータとして記録媒体に記録されており、
前記記録媒体は、
前記映像及び音の少なくとも一方の内容自体を表す実体内容情報と、
前記芳香射出手段による芳香の射出を制御するための芳香制御情報とを含み、
前記制御手段は、
前記記録媒体から取得した前記芳香制御情報に基づいて前記芳香射出手段を制御することを特徴とする芳香伝達装置。
【請求項１０】
請求項７記載の芳香伝達装置において、
前記映像及び音の少なくとも一方がコンテンツデータとして配信されており、
前記コンテンツデータは、
前記映像及び音の少なくとも一方の内容自体を表す実体内容情報と、
前記芳香射出手段による芳香の射出を制御するための芳香制御情報とを含み、
前記制御手段は、
受信した前記芳香制御情報に基づいて前記芳香射出手段を制御することを特徴とする芳香伝達装置。
【請求項１１】
映像を表示する表示手段に、芳香制御情報の設定内容を表示させる設定情報表示手段と、前記表示手段に表示された前記芳香制御情報に応じて所望の変更内容を入力する入力手段と、前記入力手段によって入力された前記所望の変更内容に基づいて、前記芳香制御情報を前記新たな芳香制御情報に更新する更新手段とを備えた設定変更手段によって、芳香を射出する芳香射出手段による芳香の射出を制御するための前記芳香制御情報の設定内容を変更し、新たな芳香制御情報を芳香制御情報記憶手段に記憶する設定変更ステップと、
前記設定変更手段によって変更された前記芳香制御情報記憶手段の新たな芳香制御情報に基づいて、制御手段が前記芳香射出手段による芳香の射出を制御する制御ステップと、を有し、
前記設定情報表示手段は、前記芳香制御情報に基づいて、前記映像を構成する各場面において射出すべき芳香を構成する各基本芳香の混合割合を示す混合割合表示項目を表示させるとともに、各前記基本芳香の混合割合を調整するための混合割合調整項目を表示させることを特徴とする芳香伝達方法。
【発明の詳細な説明】
【技術分野】
【０００１】
本発明は、視聴者に対して芳香を射出する芳香伝達装置及び芳香伝達方法に関する。
【背景技術】
【０００２】
従来、香りや液体を噴霧する関連技術としては、ノズルを使用して空気中に液体粒子を噴霧させる香発生装置が存在している（特許文献１参照）。この香発生装置は、香噴射ユニット、香噴射ユニット位置データベース（以下「香噴射位置ユニットＤＢ」と呼ぶ）、香情報データベース（以下「香情報ＤＢ」と呼ぶ）、タイマ及びコントローラを有する。
【０００３】
このうち香噴射ユニットは、個別に格納された香源より香りを発生させて噴射する機能を有する。香噴射位置ユニットＤＢは、その香噴射ユニットに収容されている香源の位置を格納している。香情報ＤＢは、発生させたい香りの発生時間を設定する機能を有する。タイマは、発生させたい香りの発生時間を設定する。
【０００４】
コントローラは、上述した各データベースから読み取った所望の香りを発生するために必要な香源の位置及び香りに対する情報に基づいてタイマに香りの発生時間を設定し、この設定した発生時間に香噴射ユニットから香りを発生するように制御する。
【０００５】
このような構成によれば、この香発生装置は、液体香源の蒸発比率が環境に応じて異なるものの、所望の香りを正確な濃度で発生させ、その噴霧量を精密に制御することができる。
【特許文献１】特開２００１−１２９０６９号公報
【発明の開示】
【発明が解決しようとする課題】
【０００６】
上記公知技術では、所望の香りを正確な濃度で発生させるとともに、その噴霧量を精密に制御することができるが、例えば対象者の嗅覚や嗜好に応じて香りを細かく調整することができなかった。
【０００７】
本発明が解決しようとする課題には、上記した問題が一例として挙げられる。
【課題を解決するための手段】
【０００８】
上記課題を解決するために、請求項１記載の発明は、映像を表示する表示手段と、芳香を射出する芳香射出手段と、前記芳香射出手段による芳香の射出を制御するための芳香制御情報を記憶する芳香制御情報記憶手段と、前記表示手段に、前記芳香制御情報の設定内容を表示させる設定情報表示手段と、前記表示手段に表示された前記芳香制御情報に応じて所望の変更内容を入力する入力手段と、前記入力手段によって入力された前記所望の変更内容に基づいて、前記芳香制御情報を前記新たな芳香制御情報に更新する更新手段とを備えて、前記芳香制御情報記憶手段に記憶している前記芳香制御情報の設定内容を変更する設定変更手段と、前記設定変更手段によって変更された新たな芳香制御情報に基づいて、前記芳香射出手段による芳香の射出を制御する制御手段と、を有し、前記設定情報表示手段は、前記前記芳香制御情報に基づいて、前記映像を構成する各場面において射出すべき芳香を構成する各基本芳香の混合割合を示す混合割合表示項目を表示させるとともに、各前記基本芳香の混合割合を調整するための混合割合調整項目を表示させる。
【０００９】
上記課題を解決するために、請求項１１記載の発明は、映像を表示する表示手段に、芳香制御情報の設定内容を表示させる設定情報表示手段と、前記表示手段に表示された前記芳香制御情報に応じて所望の変更内容を入力する入力手段と、前記入力手段によって入力された前記所望の変更内容に基づいて、前記芳香制御情報を前記新たな芳香制御情報に更新する更新手段とを備えた設定変更手段によって、芳香を射出する芳香射出手段による芳香の射出を制御するための前記芳香制御情報の設定内容を変更し、新たな芳香制御情報を芳香制御情報記憶手段に記憶する設定変更ステップと、前記設定変更手段によって変更された前記芳香制御情報記憶手段の新たな芳香制御情報に基づいて、制御手段が前記芳香射出手段による芳香の射出を制御する制御ステップと、を有し、前記設定情報表示手段は、前記芳香制御情報に基づいて、前記映像を構成する各場面において射出すべき芳香を構成する各基本芳香の混合割合を示す混合割合表示項目を表示させるとともに、各前記基本芳香の混合割合を調整するための混合割合調整項目を表示させる。
【発明を実施するための最良の形態】
【００１０】
以下、本発明の一実施の形態を図面を参照しつつ説明する。
【００１１】
図１は、本発明の概念を適用した概念的な実施形態の一例を示すブロック図である。なお、本実施形態では、本発明の概念を芳香伝達装置１００に適用した場合を例示している。
【００１２】
この芳香伝達装置１００は、例えば芳香射出手段９、芳香制御情報記憶手段１３、設定変更手段１９ａ及び制御手段１９を有する。この芳香射出手段９は、後述する芳香射出装置の一例に相当し、芳香を射出する。なおこの芳香射出手段９は、射出済の芳香を消臭するための脱臭気体を射出しても良い。この芳香制御情報記憶手段１３は、後述する記憶部の一例に相当し、上記芳香射出手段９による芳香の射出を制御するための芳香制御情報を記憶している。
【００１３】
この設定変更手段１９ａは、後述する設定変更画面の一例に相当し、その芳香制御情報記憶手段１３に記憶しているその芳香制御情報の設定内容を変更する。その制御手段１９は、後述する制御部の一例に相当し、上記設定変更手段によって変更された新たな芳香制御情報に基づいて、その芳香射出手段９による芳香の射出を制御する。本実施形態では、このような芳香伝達装置１００が次のような芳香伝達方法を実行すると例示する。
【００１４】
この芳香伝達方法は、次のような設定変更ステップ及び制御ステップを含んでいる。すなわち、まず設定変更ステップでは、設定変更手段１９ａによって、芳香を射出する芳香射出手段９による芳香の射出を制御するための芳香制御情報の設定内容を変更し、その変更後の新たな芳香制御情報を芳香制御情報記憶手段１３に記憶する。この制御ステップでは、設定変更手段１９ａによって変更された上記芳香制御情報記憶手段１３の新たな芳香制御情報に基づいて、制御手段１９が上記芳香射出手段９による芳香の射出を制御する。以下、このような概念を、芳香伝達装置１００を備える表示装置に適用した一例を、各実施形態に分けて具体的に説明する。
【００１５】
＜第１実施形態＞
図２は、第１実施形態としての芳香伝達装置１００を備える表示装置１の外観の一例を示す正面図である。
【００１６】
表示装置１は筐体２及び脚部５を有する。この筐体２は、脚部５によって設置面において支えられている。この筐体２は、その外観上、表示パネル７及び２つのスピーカー４を備えている。この筐体２は芳香伝達装置１００を内蔵している。この芳香伝達装置１００については後述する。
【００１７】
この表示パネル７は筐体２の中央部に設けられている。この表示パネル７は、その筐体２の中央部において、外部から入力された画像データに基づく映像を表示する機能を有する。この筐体２の下部には、その右側及び左側に各々スピーカー４が設けられている。
【００１８】
このスピーカー４は、図示しない駆動回路の制御によって、表示パネル７に表示された映像に同期して音を出力する機能を有する。この筐体２は、その内部に図示しない駆動回路を備えている。この駆動回路は、上記画像データに基づく映像を表示パネル７に表示させるための駆動制御を行う。
【００１９】
上記スピーカー４の間には、上記芳香伝達装置１００の一部を構成する芳香射出装置９が設けられている。この芳香射出装置９（芳香射出手段）は、例えば、出力源としての表示パネル７又はスピーカー４の近傍に配置しており、視聴者（対象者）に対して芳香を射出する機能を有する。
【００２０】
この芳香射出装置９は、外観上、上記表示装置１の下部の中心に円形の射出開口部９ａが露出しており、その円形の射出開口部９ａの外側に沿ってドーナツ形状の吸引開口部９ｂが露出している。本実施形態では、これら射出開口部９ａ及び吸引開口部９ｂを総称して「ノズル」ともいう。
【００２１】
この芳香射出装置９は、その中心部に位置する円形の射出開口部９ａから芳香を射出し、やや遅れてその外側のドーナツ形状の吸引開口部９ｂから、ノズル周囲の空気を吸引する。すると、ノズル近傍における中心部の流速と周辺部との差により、芳香の塊はドーナツ状となり、直進性を持って進行するようになる。また、この芳香射出装置９は、例えば、射出済みの芳香を消失させるための脱臭気体を射出する機能を有する。この芳香射出装置９は、このような脱臭気体を射出する場合、同様の手法によりドーナツ状の脱臭気体を直線性を持って射出することができる。
【００２２】
上記表示パネル７は、いわゆる、プラズマディスプレイパネル、液晶表示素子又は有機エレクトロルミネッセンス素子（有機ＥＬ素子）を用いた表示パネルである。本実施形態においては、この表示パネル７が多数の有機エレクトロルミネッセンス素子（有機電界発光素子）を備えているものとする。この表示パネル７は、多数の有機電界発光素子がマトリクス状に配列した構成となっている。これらマトリクス状に配列した有機電界発光素子は、図示しない駆動回路の制御によって各画素ごとに駆動制御されている。
【００２３】
また筐体２の上部における左右には、それぞれ距離計測装置６が設けられている。これら距離計測装置６（距離計測手段に相当）は、上述した芳香伝達装置１００の一部を構成しており、芳香伝達装置９から視聴者の鼻までの離間距離を計測する機能を有する。
【００２４】
これら一対の距離計測装置６は、光、超音波、画像認識角度などの方法を用いて距離を測定する機能を有する。具体的には、この距離計測装置６は、例えばカメラによって撮影した視聴者の顔の画像から視聴者の鼻を周知のパターン認識や画像認識技術を用いて視覚的に認識し、例えば光又は超音波を用いて自らから視聴者の鼻までの距離（離間距離）を計測する機能を有する。
【００２５】
この表示装置１は、図示しないリモートコントローラによって、チャンネル操作や各種の設定操作（後述する設定処理に相当）を行うことができるようになっている。このリモートコントローラは、このようなチャンネル操作に必要なチャンネル操作ボタンの他にも、図示しない設定ボタン及び選択ボタンを有する。設定ボタンは、操作することによって設定操作に移行させ、表示パネル７に設定画面を表示させるためのボタンである。選択ボタンは、表示パネル７に表示された設定画面において後述するように所定の項目を選択するために操作するボタンである。
【００２６】
またこのリモートコントローラには、図示しない電源スイッチが設けられており、例えば無線で操作することによって表示装置１に電力の供給を開始したり電力の供給を遮断する電源操作機能を有する。また表示装置１には、このようなリモートコントローラとは別に、直接的に操作することによってこのような電源操作機能を発揮する電源スイッチを備えている。この電源スイッチの操作は、制御部１９が外部通信部１２を経由して操作状態を把握することができるようになっている。
【００２７】
図３は、図２に示す表示装置１が内蔵する芳香伝達装置１００の電気的な構成例を示すブロック図である。
【００２８】
芳香伝達装置１００は、距離計測装置６、芳香射出装置９及び制御部１９を有する。この芳香伝達装置１００は、さらに映像音入出力部１１、外部通信部１２、状態表示部１５、記憶部１３及びスイッチ部１７を備えている。これら距離計測装置６などは、それぞれバスライン１６に接続されている。このバスライン１６は、これら接続されている距離計測装置６、芳香射出装置９及び制御部１９等との間でデータなどの交換や制御を行うことができる。
【００２９】
距離計測装置６（距離計測手段に相当）は、芳香射出装置９（芳香射出手段に相当）から視聴者の鼻までの離間距離を計測する機能を有する。具体的には、この距離計測装置６は、例えばカメラによって撮影した視聴者の顔に関する画像からこの視聴者の鼻を画像処理によって認識するとともに、この視聴者の鼻までの距離を光や超音波によって計測する機能を有する。本実施形態では、この距離計測装置６によって計測された自ら（距離計測装置６）の位置から視聴者の鼻までの距離を「離間距離」と呼ぶ。
【００３０】
芳香射出装置９（芳香射出手段に相当）は、例えば空気砲の原理によって視聴者に対して芳香を射出する機能を有する。この芳香射出装置９の具体的な構成については後述する。
【００３１】
映像音入出力部１１は、外部から映像データ及び音データの少なくとも一方（以下「映像データなど」という）を少なくとも入力するインターフェースとしての機能を有する。記憶部１３は、例えばランダムアクセスメモリ及びフラッシュメモリ１３ａを含む情報記憶媒体である。この記憶部１３は、このように入力された映像データ、制御部１９で用いられるプログラムや各種パラメータ、各種設定などを記憶可能なメモリである。本実施形態では、このような各種設定などとして、後述する芳香制御情報を例示している。
【００３２】
この芳香制御情報は、後述するＤＶＤ（Ｄｅｇｉｔａｌ  Ｖｅｒｓａｔｉｌｅ  Ｄｉｓｋ）から読み出され、例えばフラッシュメモリ１３ａ（芳香制御情報記憶手段の一例）に記憶される。以下の説明では、このようなフラッシュメモリ１３ａを総称して記憶部１３に芳香制御情報が記憶されていると表現する。この記憶部１３においては、この芳香制御情報に対応するコンテンツデータを表すコンテンツＩＤに対応付けてこの芳香制御情報を管理している。
【００３３】
制御部１９（制御手段に相当）は、芳香伝達装置１００全体をコントロールするＣＰＵなどから構成される。この制御部１９は、例えば外部通信部１２を介して、表示パネル７に次のような設定変更画面を表示させる機能を有する。
【００３４】
この制御部１９は、例えば視聴者によってこの設定変更画面を操作させ、その操作結果に応じて、記憶部１３に記憶済の芳香制御情報の設定内容を変更する機能を有する（設定変更手段に相当）。この芳香制御情報に関する詳細な設定内容については後述する。
【００３５】
具体的には、この制御部１９は、表示パネル７に、元々の芳香制御情報の設定内容をその設定変更画面に含めて表示させる機能を有する（設定情報表示手段に相当）。また制御部１９は、表示パネル７に表示された設定変更画面に含まれる芳香制御情報に応じて、所望の変更内容を入力可能な入力項目を、その設定変更画面に含めて表示させる機能を有する（入力手段に相当）。さらに制御部１９は、その入力項目にて入力された所望の変更内容に基づいて、記憶部１３に記憶されている芳香制御情報を新たな芳香制御情報に更新する機能を有する（更新手段に相当）。この制御部１９は、このような新たな芳香制御情報に基づいて後述するように芳香射出装置９を制御する。
【００３６】
また、この制御部１９は、その離間距離に基づいて、この芳香射出装置９から射出された芳香が視聴者の鼻に到達するまでの所要時間を演算する機能を有する。このとき制御部１９は、芳香射出装置９による芳香の伝送速度を考慮してこの所要時間を演算してもよい。さらにこの制御部１９は、この所要時間に応じてこの芳香射出装置９による芳香の射出タイミングを補正する。この制御部１９は、このような演算結果に基づいても、後述するように芳香射出装置９を制御する。
【００３７】
外部通信部１２は、例えばリモートコントローラのような芳香射出装置１００の外部との間でデータ通信を行う機能を有する。状態表示部１５は、例えば、この芳香射出装置９の状態を表示する表示部である。スイッチ部１７は、この芳香射出装置９を操作するスイッチ部である。
【００３８】
図４は、図３に示す芳香射出装置９の構成例を示すブロック図である。
【００３９】
芳香射出装置９は、芳香メインタンク２９、コック２８、芳香混合部２１、芳香サブタンク２３、芳香射出部２５及び芳香射出制御部２７を備えている。芳香射出部２５における芳香２６を射出する口付近には、ノズル９ａ，９ｂが設けられている。これらノズル９ａ，９ｂについては後述する。
【００４０】
芳香射出制御部２７は、制御部１９の制御下の元、後述するように芳香メインタンク２９、コック２８、芳香サブタンク２３及び芳香射出部２５の動作を制御する。ここで、この制御部１９は、上記芳香制御情報の設定内容に従って芳香射出制御部２７を制御する。従って、この芳香制御情報が新たな芳香制御情報に更新された場合には、この制御部１９は、この新たな芳香制御情報に従って、この芳香射出制御部２７を制御するようになる。
【００４１】
芳香メインタンク２９は、第１基本芳香２９ａ、第２基本芳香２９ｂ、第３基本芳香２９ｃ、第４基本芳香２９ｄ及び第５基本芳香２９ｅを備えている。これら第１基本芳香２９ａなどは、それぞれ視聴者に対して射出すべき芳香を生成するために混合される基本的な芳香を表している。
【００４２】
また芳香メインタンク２９は、さらに基本消臭剤２９ｇを備えている。すなわち芳香伝達装置１００は、芳香射出装置９によって射出済みの芳香を消失させる脱臭気体を射出する機能を有する。
【００４３】
芳香混合部２１は、コック２８を介して芳香メインタンク２９と接続されている。この芳香混合部２１は、芳香射出制御部２７の制御によるコック２８の開閉状況に応じて、芳香メインタンク２９内の第１基本芳香２９ａなど又はこれらいずれかの組み合わせを混合する。
【００４４】
芳香サブタンク２３は、芳香混合部２１内で混合されて生成された新たな芳香を一時的に貯蔵するためのタンクである。このうち芳香サブタンク２３は、芳香射出制御部２７の制御によって、次の芳香を芳香射出部２５に送り込むためにこの芳香を一時的に貯留する機能を有する。そして芳香射出部２５は、芳香射出制御部２７の制御によって、内部に貯留した芳香を射出し、上述した視聴者に対して芳香の気団２６（以下、省略して「芳香２６」という）を放出する機能を有する。
【００４５】
芳香射出部２５における芳香２６を射出する口付近には、ノズル９ａ，９ｂが設けられている。これらノズル９ａ，９ｂは、二重の同心円筒形状のパイプ構造である。ノズル９ａは中心寄りの部分を構成しており、ノズル９ｂは外周寄りの部分を構成している。芳香は、中心寄りのノズル９ａから射出され、その外側の開口部をなすノズル９ｂは、芳香の射出速度よりも遅い速度の空気射出及び吸引を行う。
【００４６】
図５は、図４に示す芳香射出部２５の構成例を示す断面図である。なお、図５においては、説明の都合上、併せて芳香射出制御部２７も図示している。
【００４７】
芳香射出部２５は、射出用タンク２５ａ、圧電素子２５ｂ及び逆流防止弁２５ｃを備えている。またこの芳香射出部２５が芳香２６を射出する口には、上述のようにノズル９ａ，９ｂが設けられている。なお、これらノズル９ａ，９ｂの構造は簡素化して図示している。
【００４８】
射出用タンク２５ａは、芳香サブタンク２３から供給された芳香を一時的に貯留するタンクである。この射出用タンク２５ａにおける芳香サブタンク２３からの芳香の供給口には逆流防止弁２５ｃが設けられている。この逆流防止弁２５ｃは、芳香サブタンク２３から射出用タンク２５ａに既に供給された芳香がその芳香サブタンク２３に逆流しないように堰き止める機能を有する。
【００４９】
圧電素子２５ｂは、例えばピエゾ素子を用いたものである。この圧電素子２５ｂは、芳香射出制御部２７による印加電圧に基づく圧電効果によって射出用タンク２５ａの内部の容積を瞬間的に変化させ、貯留している芳香２６を射出する機能を有する。
【００５０】
図６は、芳香伝達装置１００が視聴者に対して芳香２６を射出する様子を上方から見た場合の一例を示す平面図である。
【００５１】
この表示パネル７の両端には、それぞれ距離計測装置６が設けられている。また、この表示パネル７のほぼ中央部には芳香射出装置９が設けられている。視聴者３１は、表示装置１の表示パネル７の映像表示面に対面するように、その表示パネル７の映像表示面に沿った方向おけるほぼ中心に位置している。すなわち視聴者は、例えば芳香射出装置９のほぼ正面に位置している。
【００５２】
上述のように距離計測装置６（距離計測手段に相当）は、例えば光又は超音波によって視聴者との距離を計測する。ここで本実施形態では、制御部１９は、両端の距離計測装置６によって各々計測された視聴者までの第１の距離及び第２の距離に基づいて、芳香射出装置９から視聴者までの離間距離を間接的に計測している（距離計測手段に相当）。芳香伝達装置１００は、制御部１９の制御によって芳香射出装置９に、補正タイミングにて視聴者の方向に芳香２６を射出させている。
【００５３】
図７は、芳香伝達装置１００が視聴者に対して芳香２６を射出する様子を側方から見た場合の一例を示す平面図である。
【００５４】
この例では、表示パネル７には映像が表示されており、この映像では、例えば時刻Ｔ１において爆発のシーンが表示される。なお、再生タイミング時間と補正タイミング時間との時間差を、例えばΔＴと設定し、芳香射出装置９から視聴者３１の鼻までの距離をＤとしている。
【００５５】
すると、芳香伝達装置１００は、この芳香射出装置９が、例えば一定の伝送速度Ｖで芳香２６を射出するとした場合、芳香射出装置９から射出された芳香２６が視聴者に到達するまでの時間ΔＴ＝Ｄ／Ｖとなる。なお、芳香射出装置９から視聴者までは例えば距離がＤである。よって芳香伝達装置１００は、時刻Ｔ１−ΔＴに火薬の芳香２６を伝送速度Ｖで射出すれば、時刻Ｔ１においてこの芳香２６が視聴者に到達することとなる。すると、視聴者は、視覚的に認識している爆発のシーンに同期して、火薬の芳香２６を嗅覚的に認識することができるため、映像や音によって各々視覚や聴覚によって楽しむことができるばかりでなく、嗅覚によって芳香２６も楽しむことができる。従って視聴者は、より臨場感豊かに映像（や音）を楽しむことができる。
【００５６】
また、視聴者と表示装置１との間の距離に関らず、芳香が漂う場面のコンテンツの視聴タイミングと視聴者の鼻に芳香が届くタイミングが同一になるように、芳香が視聴者に到達する所要時間を補正して芳香を発生することができる。これにより、視聴者に視聴位置を表示装置に対して固定にするような制限がなくなり、視聴者が自由な位置で芳香を伴うコンテンツを楽しむことができる。
＜芳香制御情報の記録媒体への記録方法例＞
上述した芳香制御情報のＤＶＤへの記録方法としては、次のような記録装置３００を用いた記録方法を採用することができる。
【００５７】
図８は、上記ＤＶＤへコンテンツデータ及び上記芳香制御情報を記録する記録装置３００の構成例を示すブロック図である。
【００５８】
この記録装置３００は、ＤＶＤへ記録すべきコンテンツデータをＶＴＲ（Ｖｉｄｅｏ  Ｔａｐｅ  Ｒｅｃｏｒｄｅｒ）７０に用意しておき、このＶＴＲ７０から読み出したコンテンツデータを記録媒体の一例であるＤＶＤに記録する機能を有する。
【００５９】
具体的には、この記録装置３００は、ＶＴＲ７０、メモリ７１、信号処理部７２、ハードディスク（ＨＤ）装置７３、ハードディスク（ＨＤ）装置７４、コントローラ７５、多重器７６、変調器７７及びマスタリング装置７８を有する。
【００６０】
ＶＴＲ７０には、ＤＶＤに記録すべき映像や音等のコンテンツ（素材）である記録情報Ｒ（上記コンテンツデータに相当）が記録されている。このＶＴＲ７０に記録されている記録情報Ｒは、信号処理部７２からの要求により、この信号処理部７２に出力される。
【００６１】
この信号処理部７２は、この記録情報ＲをＡ／Ｄ変換した後、例えばＭＰＥＧ２方式により圧縮処理する。さらにこの信号処理部７２は、この記録情報Ｒを構成する映像情報（映像信号）及び音情報（音信号）を時間軸多重して圧縮多重信号Ｓｒとして出力する。その後、出力された圧縮多重信号Ｓｒは、ハードディスク装置７３に一時的に記憶される。
【００６２】
これと並行して、メモリ７１では、上記記録情報Ｒを部分記録情報Ｐｒに予め区分し、各部分記録情報Ｐｒが生成される。さらにこのメモリ７１上では、それぞれの部分記録情報Ｐｒに関する、特にＤＶＤについての最低読み出しレートが記載されたキューシートＳＴに基づき、予め入力されたこの部分記録情報Ｐｒに関する内容情報を一時的に記憶する。そしてメモリ７１は、上記信号処理部７２からの要求に基づいてこの内容情報について内容情報信号Ｓｉとして出力する。
【００６３】
この信号処理部７２は、ＶＴＲ７０から出力される上記記録情報Ｒに対応したタイムコードＴｔ及び、メモリ７１から出力される内容情報信号Ｓｉに基づきタイムコードＴｔを参照し、上記部分記録情報Ｐｒに対応するアクセス情報信号Ｓａｃを生成して出力する。このアクセス情報信号Ｓａｃはハードディスク装置７４に一時的に記憶される。
【００６４】
以上の処理が、記録情報Ｒ全体について実行される。記録情報Ｒの全てについて上記の処理が終了すると、コントローラ７５は、ハードディスク装置７３から圧縮多重信号Ｓｒを読み出すとともにハードディスク装置７４からアクセス情報信号Ｓａｃを読み出す。そしてコントローラ７５は、これら圧縮多重信号Ｓｒ及びアクセス情報信号Ｓａｃに基づいて付加情報ＤＡを生成する。この付加情報ＤＡは、ハードディスク装置７４に記憶される。
【００６５】
一方、コントローラ７５は、上記信号処理部７２、ハードディスク装置７３及びハードディスク装置７４について各々の動作の時間管理を行う。このコントロ−ラ７５は、この付加情報ＤＡに対応する付加情報信号Ｓａを、ハードディスク装置７４から読み出して多重器７６に出力する。
【００６６】
この付加情報ＤＡの一部に、芳香制御情報である。この芳香制御情報のデータとしては、必要に応じて次のような内容のいずれか又はこれらいずれかの組み合わせを選択して採用することができる。具体的には、芳香発生タイミング情報（芳香２６を発生させたい時分秒などのタイムスタンプ）、芳香持続時間情報（再生期間に相当）、芳香の強さ情報（例えば１〜５のような５段階で表した芳香物質の量）、芳香成分情報、消臭剤（脱臭気体）発生タイミング情報、消臭剤成分情報が採用できる。これら以外の芳香に関する情報を芳香制御情報として含むことができることはいうまでもない。
【００６７】
これと共に、このコントロ−ラ７５は、圧縮多重信号Ｓｒと付加情報信号Ｓａを時間軸多重するための信号として情報選択信号Ｓｃｃを生成し、多重器７６に出力する。
【００６８】
この多重器７６は、情報選択信号Ｓｃｃに基づき、これら圧縮多重信号Ｓｒと付加情報信号Ｓａを時間軸多重し、その結果としての情報付加圧縮多重信号Ｓａｐを変調器７７に出力する。
【００６９】
つまり、このコントロ−ラ７５は、このアクセス情報信号Ｓａｃに応じたタイミングで、上記付加情報信号Ｓａを選択すべき旨を表す信号として情報選択信号Ｓｃｃを、多重器７６に対して出力する。この多重器７６は、この情報選択信号Ｓｃｃに基づき付加情報信号Ｓａ側にスイッチし、端子７６ａと端子７６ｃを接続する。
【００７０】
一方、このコントローラ７５は、圧縮多重信号Ｓｒを選択すべき旨を表す信号として情報選択信号Ｓｃを、多重器７６に対して出力する。この多重器７６は、圧縮多重信号Ｓｒ側にスイッチし、端子７６ａと端子７６ｂを接続する。すると、この多重器７７は、上記ＶＯＢＵ９２にあるビデオデータ（映像信号）、オーディオデータ（音信号）を情報付加圧縮多重信号Ｓａｐとして、順次、変調器７７に入力する。このような動作が複数のＶＯＢＵ９２について繰り返し行われ、更に複数のＶＴＳ８３について繰り返される。
【００７１】
上記変調器７７は、入力された情報付加圧縮多重信号Ｓａｐに対してリードソロモン符号等のエラー訂正コード（ＥＣＣ）の付加をして、さらに８−１６変調等の変調を施してディスク記録信号Ｓｍを生成する。さらにこの変調器７７は、このディスク記録信号Ｓｍをマスタリング装置７８に対して出力する。
【００７２】
このマスタリング装置７８は、このディスク記録信号Ｓｍをスタンパディスクに対して記録する。このスタンパディスクは、光ディスクを製造する際のマスタ（抜き型）となるものである。そして図示しないレプリケーション装置は、このスタンパディスクを用いて一般向けに販売すべきレプリカディスクとしての光ディスク、即ちＤＶＤを製造する。このように製造されたＤＶＤには、上述した映像信号及び音信号が記録されているのみならず、上述したＤＳＩ９３ｂ及びＰＣＩ９３ａの少なくとも一方に、上記芳香制御情報が記録されていることになる。
【００７３】
図９は、上述の記録装置により作成されるビデオファイルのフォーマットの一例を示す図である。
【００７４】
ビデオファイルは、例えば記録媒体としてＤＶＤを挙げると、映像を表示するためのビデオデータ（映像信号）や音を出力するためのオーディオデータ（音信号）などのコンテンツデータの他にも、次のような情報データを備えている。すなわちこのビデオファイルは、マルチアングルやパレンタル再生、ランダム・シャッフル再生などのＤＶＤ独自の機能を実現する情報データや、早送り、巻き戻しなどの特殊再生をサポートするための情報データを有している。ここでは、前者をプレゼンテーションデータ、後者をナビゲーションデータと呼ぶ。
【００７５】
ＤＶＤビデオゾーンには、ＤＶＤビデオの再生に必要な全てのファイルが格納されている。このＤＶＤビデオゾーンは、ひとつのＶＭＧ（Ｖｉｄｅｏ  Ｍａｎａｇｅｒ）８０及び少なくとも１つのＶＴＳ（Ｖｉｄｅｏ  Ｔｉｔｌｅ  Ｓｅｔ）８１，８２，８３を含んでいる。
【００７６】
ＶＭＧ８０は、ＶＭＧＩ（Ｖｉｄｅｏ  Ｍａｎａｇｅｒ  Ｉｎｆｏｒｍａｔｉｏｎ）８０ａ、ＶＭＧＭ＿ＶＯＢＳ（Ｖｉｄｅｏ  Ｏｂｊｅｃｔ  Ｓｅｔ  ＶＭＧ  Ｍｅｎｕ）８０ｂ及びバックアップのためのＶＭＧＩ（ＢＵＰ）８０ｃを含んでいる。ＶＭＧＩ８０ａは、ＤＶＤビデオゾーン全体についての制御情報である。このＶＭＧＩ８０ａは、例えばＶＩＤＥＯ＿ＴＳ．ＩＦＯという１つのファイルで構成されている。
【００７７】
ＶＭＧＭ＿ＶＯＢＳ８０ｂは、タイトル選択メニューのためのコンテンツである。ＶＭＧＭ＿ＶＯＢＳ８０ｂは、例えばＶＩＤＥＯ＿ＴＳ．ＶＯＢというひとつのファイルで構成されている。ＶＭＧＩ（ＢＵＰ）８０ｃは、上述したＶＭＧＩ８０ａと同一の内容である。このＶＭＧＩ（ＢＵＰ）８０ｃは、例えばＶＩＤＥＯ＿ＴＳ．ＢＵＰというひとつのファイルで構成されている。なお、このＶＭＧＭ＿ＶＯＢＳ８０ｂは省略することもできる。
【００７８】
ＶＴＳ（ＶＴＳ２を例示する）８３は、ＶＴＳI（Ｖｉｄｅｏ  Ｔｉｔｌｅ  Ｓｅｔ  Ｉｎｆｏｒｍａｔｉｏｎ）８３ａ、ＶＴＳＭ_ＶＯＢＳ（Ｖｉｄｅｏ  Ｏｂｊｅｃｔ  Ｓｅｔ  ｆｏｒ  ｔｈｅ  ＶＴＳ  Ｍｅｎｕ）８３ｂ、ＶＴＳＴＴ_ＶＯＢＳ（Ｖｉｄｅｏ  Ｏｂｊｅｃｔ  Ｓｅｔ  ｆｏｒ  Ｔｉｔｌｅｓ  ｉｎ  ａ  ＶＴＳ）８３ｃ及びバックアップのためのＶＴＳI（ＢＵＰ）８３ｄを含んでいる。ＶＴＳＩ８３ａは、そのＶＴＳに対する制御情報である。このＶＴＳＩ８３ａは、このＶＴＳ＿＃＃＿０．ＩＦＯというひとつのファイルで構成されている。なお、「＃＃」は０１から９９までの整数、「＠」は１から９までの整数を表わしている。
【００７９】
ＶＴＳＭ_ＶＯＢＳ８３ｂは、ＶＴＳ８３（ＶＴＳ２）内の各種メニューのためのコンテンツである。このＶＴＳＭ_ＶＯＢＳ８３ｂは、例えばＶＴＳ＿＃＃＿０．ＶＯＢというひとつのファイルで構成されている。ＶＴＳＴＴ＿ＶＯＢＳ８３ｃは、タイトル再生のためのコンテンツである。このＶＴＳＴＴ＿ＶＯＢＳ８３ｃは、例えばＶＴＳ＿＃＃＿＠．ＶＯＢという複数のファイルで構成されている。ＶＴＳI（ＢＵＰ）８３ｄは、上記ＶＭＧＩ８０ａと同一の内容である。このＶＴＳI（ＢＵＰ）８３ｄは、例えばＶＴＳ＿＃＃＿０．ＢＵＰというひとつのファイルで構成されている。なお、ＶＴＳＭ＿ＶＯＢＳ８３ｃは省略しても良い。
【００８０】
図１０は、制御部１９が用いる芳香制御情報などを含むビデオデータのフォーマット例を示す図である。
【００８１】
セル（図示の「ＣＥＬＬ」に相当）９１は、それぞれ少なくとも１つのＶＯＢＵ（Ｖｉｄｅｏ  Ｏｂｊｅｃｔ  Ｕｎｉｔ）９２で構成されている。１つのＶＯＢＵ９２は、例えば０.４ｓｅｃから１ｓｅｃの再生時間長を有する。
【００８２】
このＶＯＢＵ９２は、先頭にＮＶ＿ＰＣＫ（Ｎａｖｉｇａｔｉｏｎ  Ｐａｃｋ：図示の「Ｎ」に相当）９３が挿入されており、続いてＧＯＰ（Ｇｒｏｕｐ  Ｏｆ  Ｐｉｃｔｕｒｅ）整数個分のビデオデータ、オーディオデータ、サブピクチャデータなどがパック化されて時分割で挿入されている。ただし、ＮＶ＿ＰＣＫ９３以外のデータは、例えば、常に存在している必要はなく、ＶＯＢＵ９２の再生時間長よりも短くてもよい。
【００８３】
また、ＧＯＰのフレーム数は自由であり、その終端にＭＰＥＧのシーケンス・エンド・コードを置けば、ＧＯＰ最後のフレームで静止画となる。したがって、任意再生時間の静止画を動画中の任意の位置に挿入することができ、オーディオ情報の付加も自由に行えるのである。ＮＶ＿ＰＣＫ９３は、ＰＣＩ（Ｐｒｅｓｅｎｔａｔｉｏｎ  Ｃｏｎｔｒｏｌ  Ｉｎｆｏｒｍａｔｉｏｎ）９３ａとＤＳＩ（Ｄａｔａ  Ｓｅａｒｃｈ  Ｉｎｆｏｒｍａｔｉｏｎ）９３ｂの二つのパケットを有する。
【００８４】
一般的にＤＶＤビデオプレーヤは、可変レート再生とシームレス再生を実現するために、ピックアップとデコーダの間にトラック・バッファと呼ばれる大容量メモリを有する。そのため、ピックアップがＤＶＤから読み取っている信号と、デコードされて再生されている映像や音との間に時間ずれを生じる。
【００８５】
そこで、リアルタイムの制御情報をＰＣＩ９３ａとＤＳＩ９３ｂの二つのパケットに分割して、ＰＣＩ９３ａには再生に関する制御情報を格納するとともに、ＤＳＩ９３ｂにはアクセスに関する制御情報を格納する。すると、ＤＶＤプレーヤは、ＤＳＩ９３ｂとＰＣＩ９３ａをそれぞれトラック・バッファの前と後で処理するのである。
【００８６】
本実施形態では、制御部１９が芳香射出装置９による芳香２６の射出制御にあたり利用する芳香制御情報が、例えば図１０に示す再生表示制御ＰＣＩ９３ａ及びアクセス制御ＤＳＩ９３ｂの少なくとも一方に含まれているものとする。この芳香制御情報は、例えば射出タイミング時刻、射出すべき芳香の種類、及び、射出しているべき期間を表す芳香射出期間を含んでいる。本実施形態では、これらの情報を総称して「芳香フラグ」と呼ぶ。
【００８７】
より具体的には、この芳香制御情報のデータ項目としては、必要に応じて次のような内容のいずれか又はこれらいずれかの組み合わせを選択して採用することができる。
【００８８】
図１１は、芳香制御情報のデータ項目の一例を示す図である。なお、この芳香制御情報は、芳香を発生させるべきシーン（場面）ごとに定義されるものである。このシーンごとの芳香制御情報は、１つのコンテンツ自体（タイトル）或いは、そのコンテンツをいくつかに分けたチャプターごとの論理構造単位にまとめられて、所定のデータ構造にて記録されている。各芳香制御情報のデータ項目としては、次のような項目を例示することができる。
【００８９】
項目１は芳香発生タイミング情報を表し、この芳香発生タイミング情報は、例えば芳香２６を発生させたい時分秒などのタイムスタンプを含んでいる。項目２は、芳香持続時間情報を表し、この芳香持続時間情報は再生期間に相当する。項目３は、芳香の強さ情報を表し、この芳香の強さ情報は、例えば１〜５のような５段階で表した芳香物質の量を表している。
【００９０】
項目４から項目８は、各々、芳香成分情報１から芳香成分情報５を表している。芳香成分情報１〜５は各々の芳香成分名称を示す情報と各々の芳香成分の割合が記述されている。芳香成分情報１〜５としては次のような内容を例示することができる。
【００９１】
芳香成分情報１  名称：物質Ａ    混合量５０
芳香成分情報２  名称：物質Ｂ    混合量２０
芳香成分情報３  名称：物質Ｃ    混合量１０
芳香成分情報４  名称：物質Ｄ    混合量１５
芳香成分情報５  名称：物質Ｅ    混合量５
名称は、文字列であっても良いしコードで記述し、記憶部１３などに予め記憶されている辞書テーブルを使って文字列に変換するようにしてもよい。混合量は特定の芳香を５種類の芳香成分を使って表現するときの各芳香成分の量を全体を１００としたときの割合を示す数値で表現したものである。各混合量は、全体を１００としたときに各芳香成分の混合量が数値または数値を示すコードで記述されている。
【００９２】
項目９は、消臭剤（脱臭気体）発生タイミング情報を表しており、この消臭剤発生タイミング情報は、消臭剤を発生すべきタイミングに関する情報を表している。項目１０から項目１４は、各々、消臭剤成分情報１から消臭剤成分情報５を表している。消臭剤成分情報１〜５についても芳香成分情報１〜５と同様な形式で名称と混合量が記述されている。
【００９３】
項目１５は、芳香発生場面情報を表しており、この芳香発生場面情報は、例えば芳香を発生すべき場面（シーン）を表している。本実施形態では、芳香を発生させるべきシーンとして、爆発シーン、海辺シーン、田園シーン、食堂シーン及び病院シーンを例示する。これら各シーンにはシーン番号が割り当てられている。このシーン番号の具体例としては、爆発シーンには０１、海辺シーンには０２、田園シーンには０３、食堂シーンには０４、病院シーンには０５と割り当てられている。なおシーン番号０６〜９９は割り当て済みとなっている。
【００９４】
項目１６は、芳香カテゴリーを表しており、この芳香カテゴリーは、例えば射出すべき芳香のカテゴリーを表している。本実施形態では、芳香のカテゴリーとして、シトラス系、ミント系、ラベンダー系、ローズマリー系及びココナッツ系を例示することができる。これら各芳香のカテゴリーにはカテゴリー番号が割り当てられている。このカテゴリー番号の具体例としては、シトラス系には０１、ミント系には０２、ラベンダー系には０３、ローズマリー系には０４、ココナッツ系には０４と割り当てられている。なお、芳香のカテゴリー番号０６〜９９は割り当て済みである。
【００９５】
従って芳香制御情報を参照すれば、その芳香フラグによって、逐次再生される映像などに同期して、どのようなシーンで、どのような種類の芳香をどのようなタイミングで、どの程度の期間（再生期間）にわたり射出すべきかについて分かるようになっている。このような芳香制御情報は、コンテンツフォーマットの時間軸に沿ってコンテンツデータに同期するように記録媒体に記録されている。この芳香制御情報としては、例えば、ある特定種類の芳香を、射出タイミング時刻が１２分１５秒から射出時間として３０秒間にわたり指定されていることなどを例示することができる。
【００９６】
本実施形態では、この芳香制御情報が後述するＤＶＤ制御情報に含められて、映像信号（や音信号）とともにＤＶＤなどの記録媒体に記録されている。この記録媒体は、映像音響機器の一例としてのＤＶＤプレーヤによって映像信号（や音信号）及びＤＶＤ制御情報が読み出されることと並列して、芳香伝達装置１００によって芳香制御情報が読み出される。なお、この記録媒体に記録されている芳香制御情報は、コンテンツ作成者の意思により自由に設定することができる。また、上述以外のパラメータを芳香制御情報として定義してもよい。たとえば、芳香を射出する射出速度（伝送速度）を記述し、記述された射出速度に応じて芳香射出制御部２７が芳香射出部２５を制御するようにすることも可能である。
【００９７】
図１２は、表示パネル７に表示される設定画面の構成例を示す図である。
【００９８】
この設定画面は、その項目として表示設定項目、サウンド設定項目、芳香設定項目及び終了指示項目を有する。これらの各項目は、上述したリモートコントローラを操作することによって選択できるようになっている。
【００９９】
各項目の概要について簡単に説明する。まず表示設定項目は、選択すると、表示設定画面を表示させるための項目である。この表示設定画面では、例えば、コントラストなどの表示パネル７による表示態様を調整することができる。次にサウンド設定項目は、選択すると、サウンド設定画面を表示させるための項目である。
【０１００】
このサウンド設定画面では、例えば、左右の音のバランスなどを調整することができる。次に芳香設定項目は、選択すると、芳香設定画面を表示させるための項目である。この芳香設定画面では、例えば、芳香射出装置９が射出する芳香の態様を調整することができる。また、終了指示項目は、選択すると、このような設定処理を終了し、設定画面を消すための項目である。
【０１０１】
図１３は、表示パネル７に表示される芳香設定画面の構成例を示す図である。
【０１０２】
この芳香設定画面は、大きく分けて芳香射出機能設定、芳香場面（シーン）設定及び芳香カテゴリー設定に分類することができる。なお、これら芳香射出機能設定、芳香場面設定及び芳香カテゴリー設定は、これらのうちいずれかの組み合わせが芳香設定画面に含まれる形態であってもよい。
【０１０３】
このうち芳香射出機能設定は、芳香射出装置９から芳香を射出すべきか又は射出を規制すべきかについて設定するための項目である。この芳香射出機能設定としては、視聴者の設定に応じてＯＮである場合には芳香射出装置９から芳香を射出し、ＯＦＦである場合には芳香射出装置９から芳香を射出しないように設定することができる。なお、芳香設定画面におけるＯＮ及びＯＦＦの表示は、選択する度に、制御部１９が互いに逆の表示（例えば、「ＯＮ」と「ＯＦＦ」という文字表示を上記リモートコントローラの操作により選択指示がなされるたびに「ＯＮ」→「ＯＦＦ」、「ＯＦＦ」→「ＯＮ」となるようの表示文字を変える表示形態）になるように制御している。または制御部１９は、「ＯＮ」と「ＯＦＦ」を両方表示しておき、選択された方をハイライトで表示し、選択されなかった方を色のトーンを落として表示するようにしてもよい。このようにすると、例えば、ＯＮが選択された場合は「ＯＮ」がハイライト表示され、もう一方の「ＯＦＦ」はグレーの文字で表示されるという表示形態となる。
【０１０４】
芳香場面設定は、例えば芳香制御情報で定義されている複数のシーンのうち芳香を漂わせたくないシーンを指定するためのエリアである。つまりこの芳香場面設定は、シーンごとに芳香を射出すべきか否かを設定するための項目である。具体的には、上述した制御部１９が、その芳香制御情報に基づいて、表示パネル７に、映像の各シーンに応じて芳香射出装置９から芳香を射出すべきか否かを設定するための設定項目を表示させる（設定情報表示手段に相当）。この芳香場面設定としては、爆発シーン、海辺シーン、田園シーン、食堂シーン及び病院シーンの少なくとも１つにおいて芳香を射出すべきか否かを設定することができる。ここで制御部１９は、各シーンについて、例えばＯＦＦからＯＮに設定が変わった場合、後述する調整場面画面に遷移させるようになっている。この調整場面画面については後述する。
【０１０５】
芳香カテゴリー設定は、例えば、芳香制御情報で定義されているカテゴリのうち好まないカテゴリーの芳香を射出しないように設定するためのエリアである。つまりこの芳香カテゴリ設定は、芳香の種類ごとに、各種類の芳香を射出するか否かを設定するための項目である。
【０１０６】
具体的には、上述した制御部１９が、その芳香制御情報に基づいて、表示パネル７に、映像の各シーンに応じて芳香射出装置９から射出すべき芳香の種類を設定するための設定項目を表示させる。具体的には、芳香カテゴリ設定としては、シトラス系、ミント系、ラベンダー系、ローズマリー系及びココナッツ系の芳香の種類について各々芳香を射出すべきか否かを設定することができる。
【０１０７】
またこの芳香設定画面は、確定ボタン３１及び戻るボタン３２を有する。このうち確定ボタン３１は、上述した入力内容を確定するためのボタンである。この確定ボタン３１を操作すると、制御部１９は、この芳香設定画面における入力内容に基づく新たな芳香制御情報で元々の芳香制御情報を更新する。
【０１０８】
一方、戻るボタン３２は、その入力内容を放棄し、図１２に示す設定画面に遷移するためのボタンである。この場合、制御部１９は、この芳香設定画面における入力内容に基づく新たな芳香制御情報を破棄し、元々の芳香制御情報（デフォルトの芳香制御情報）を更新しない。芳香サンプルボタン３３は、操作されると、その左側に並んでいるシーンに対応した芳香を試験的に強制射出させるためのボタンである。
【０１０９】
図１４は、表示パネル７に表示される調整場面画面の一例を示す図である。
【０１１０】
設定情報表示手段としての制御部１９は、芳香制御情報に基づいて、射出場面設定項目として、各シーンにおいて射出すべき芳香を構成する各基本芳香の混合割合を示す混合割合表示項目を調整場面画面に表示させるとともに、各基本芳香の混合割合を調整するための混合割合調整項目（後述する混合割合項目に相当）を表示させる。
【０１１１】
この調整場面画面は、例えば調整したい芳香の種類を選択するための選択項目及び、その選択した芳香を構成する成分の混合割合を表示するための混合割合項目を有する。この選択項目は、何も入力されていない状態においては、上述した制御部１９が、元々の芳香制御情報に基づくシーンの種類を表示させている。
【０１１２】
一方、混合割合項目は、何も入力されていない状態においては、制御部１９が、元々の芳香制御情報に基づいて、その選択項目で選択したシーンに該当する芳香の成分の混合割合を表示させる。
【０１１３】
この混合割合項目は、デフォルトボタン３６、調整バー３７及び混合量３８を含んでいる。混合量３８は、ある１つのシーンを構成すべき各芳香の成分の混合量を百分率及び帯状の表示オブジェクトで表すようになっている。調整バー３７は、混合量３８を調整するためのオブジェクトであり、左右に移動させることで混合量３８を調整できるようになっている。この調整バー３７の操作に応じて、混合割合項目の右側に表示している百分率の値が変更されるようになっている。
【０１１４】
またデフォルトボタン３６は、以上のような調整バー３７の操作によって芳香の混合割合を変更したものの初期値に戻したい場合に操作するボタンである。このデフォルトボタン３６を操作すると、制御部１９は、元々の芳香制御情報に基づく混合割合に戻す表示を行う。
【０１１５】
また、この調整場面画面は、確定ボタン３３戻るボタン３４を有する。このうち確定ボタン３３は、上述した入力内容を確定するためのボタンである。この確定ボタン３１を操作すると、制御部１９は、この芳香設定画面における入力内容に基づく新たな芳香制御情報で元々の芳香制御情報を更新する。
【０１１６】
この制御部１９は、上述した芳香射出制御部２７を制御し、芳香混合部２１（芳香混合手段に相当）に、複数の基本芳香（例えば第１基本芳香２９ａなど）のうち、上記設定項目に対する所望の変更事項に基づく新たな芳香制御情報に基づいて選択した基本芳香によって所望の芳香を生成させる。この芳香混合部２１は、上述のように所望の芳香を構成するために組み合わせた複数の基本芳香を混合する機能を有する。
【０１１７】
一方、戻るボタン３４は、その入力内容を放棄し、図１３に示す設定画面に遷移するためのボタンである。この場合、制御部１９は、この芳香設定画面における入力内容に基づく新たな芳香制御情報で元々の芳香制御情報を更新せず放棄する。
【０１１８】
ここで制御部１９は、上記芳香混合制御手段２７が上記芳香混合手段２１に上記所望の芳香を生成させた場合、芳香射出装置９に、その所望の芳香の射出を試行させるための芳香サンプルボタン３５を、表示パネル７に表示させる。つまり、芳香サンプルボタン３５は、その混合割合項目に表示されている混合割合とした芳香を試験的に強制射出させるためのボタンである。
【０１１９】
芳香伝達装置１００を内蔵する表示装置１は以上のような構成であり、次に図２〜図１４を参照しつつこの芳香伝達装置１００を内蔵する表示装置１の動作例について説明する。
【０１２０】
図１５は、芳香伝達装置１００を含む表示装置１の設定処理の手順を表すフローチャートである。この設定処理は、例えば表示装置１の電源スイッチを最初に操作し、この表示装置１を立ち上げた場合に実行される手順の一例を表している。この設定処理（設定ステップに相当）は、芳香設定画面によって、芳香を射出する芳香射出装置９による芳香の射出を制御するための芳香制御情報の設定内容を変更する処理である。
【０１２１】
上述した制御部１９は、外部通信部１２を介して、例えばリモートコントローラの電源スイッチが操作され、表示装置１が表示処理を開始したことを契機として、図１５に示す設定処理を実行する。なお、この設定処理は、表示装置１が表示パネル７に映像を表示している場合に、制御部１９が、例えば視聴者が任意のタイミングでリモートコントローラの設定ボタンを操作したことを契機に実行するようにしても良い。
【０１２２】
まずステップＳ１０１では、制御部１９が、記憶部１３（のフラッシュメモリ１３ａ）から芳香制御情報を読み出して、この芳香制御情報に基づいて図１２に示す設定画面を表示する。この設定画面は、射出すべき芳香に関する設定項目（以下「芳香設定項目」と呼ぶ）及び、上述した表示や音の出力の設定に関する項目（以下「その他の項目」と呼ぶ）を含んでいる。
【０１２３】
このとき記憶部１３においては、この芳香制御情報がコンテンツＩＤに対応して管理されており、制御部１９は、過去に再生したコンテンツデータのコンテンツＩＤと同一のコンテンツデータを再生する場合においては、記憶部１３に過去に記憶済の芳香制御情報を用いる。つまり制御部１９は、このようにコンテンツＩＤが同一である場合、この過去の芳香制御情報或いは過去に変更済みの芳香制御情報を用いることができるようになる。
【０１２４】
一方、この制御部１９は、あるコンテンツデータを初めて再生する場合には、上述したＤＶＤから読み出して記憶部１３に記憶しておいた芳香制御情報を用いる。そしてこの制御部１９は、この初めての芳香制御情報をコンテンツＩＤに対応付けて記憶部１３に記憶させておく。
【０１２５】
次にステップＳ１０２では、制御部１９は、この設定画面のうち芳香設定項目が選択されたか否かを検出する。制御部１９は、芳香設定項目が選択されなかった場合、表示パネル７に、その他の項目を設定するための画面を表示する（ステップＳ１０３）。以下、この画面を「その他の設定画面」と呼ぶ。次にステップＳ１０３ａでは、制御部１９が、所望の設定項目の設定処理を実行する。一方、制御部１９は、芳香設定項目が選択された場合、表示パネル７に、図１３に示すような芳香設定画面を表示させる（ステップＳ１０４）。
【０１２６】
視聴者は、図示しないリモートコントローラの選択ボタンを操作することで、この芳香設定画面において所望の項目を所望の態様となるように設定する。具体的には、まずこの芳香設定画面は、上述した制御部１９が、元々の芳香制御情報に基づいて各項目の既に登録済の設定内容を表示させている。
【０１２７】
この芳香設定画面では、例えば芳香射出機能設定、芳香場面設定及び芳香カテゴリ設定の３つの設定を行うことができる。芳香射出機能設定では、芳香射出装置９によって芳香を射出させるか否かをＯＮ又はＯＦＦで設定可能となっており、図示の例では、この芳香射出機能設定がＯＮと設定されている。
【０１２８】
芳香場面設定では、上述した爆発シーンなどのうち食堂シーンについてのみＯＦＦと設定されており、この食堂シーンにおいて芳香を射出しないものの、その他の爆発シーンなどにおいてはＯＮと設定されているため、芳香を射出するようになっている。
【０１２９】
芳香カテゴリー設定では、シトラス系などのうち、ミント系及びラベンダー系においてＯＮと設定されており、これらミント系及びラベンダー系の芳香についてのみ射出されるようなっている。このようにすると、視聴者は自らの嗜好に応じた芳香のみを楽しむことができる。
【０１３０】
ここで、この芳香設定画面には、芳香場面設定における各シーンの横に、対応する芳香サンプルボタン３３が設けられているとともに、芳香カテゴリー設定における各芳香の種類の横に、対応する芳香サンプルボタン３３が設けられている。視聴者は、いずれかの芳香サンプルボタン３３を操作すると、上述した制御部１９が、この芳香設定画面で設定された項目（元々の芳香制御情報に相当）に基づいて芳香射出制御部２７を制御する。
【０１３１】
この芳香射出制御部２７は、芳香混合部２１を制御し、芳香メインタンク２９のうちこの項目に対応した第１基本芳香２９ｃなどを選択して混合する。このようにすると、対応するシーン或いは芳香の種類に対応した芳香を試験的に射出させ、試しで嗅覚により確認することができる。
【０１３２】
この芳香設定画面では、視聴者が所望の項目について入力できるようになっており、視聴者による入力項目は、制御部１９が、確定ボタン３１が押されたことを契機として、後述するように新たな芳香制御情報として元々の芳香制御情報の代わりに登録される。なお、視聴者が戻るボタン３２を操作した場合、制御部１９は、このような登録作業をせず、視聴者による入力項目がある場合でもその入力項目を破棄する。
【０１３３】
ここで視聴者が、この芳香設定画面において、例えばＯＮと設定した項目を選択した場合、制御部１９は、図１４に示す調整場面画面を表示させる。この調整場面画面では、例えば選択項目において海辺シーンが選択されている。上述した制御部１９は、登録済の元々の芳香制御情報に基づいて、混合割合項目に、この海辺シーンに対応した芳香の成分に関する全ての混合割合を表示する。視聴者は、調整バー３７を操作し、各成分ごとに、この表示した混合割合を所望の混合割合となるよう変更できる。
【０１３４】
ここで、この調整場面画面の設定が変更された場合において芳香サンプルボタン３５を操作すると、制御部１９は、この芳香サンプルボタン３５の操作を契機として、芳香射出制御部２７に次のように制御させる。すなわち芳香射出制御部２７は、コック２８を制御し、芳香メインタンク２９から、この海辺シーンに対応した第１基本芳香２９ａなどのうちから所定の組み合わせを芳香混合部２１で混合させ、芳香射出部２５から試験的に射出させる。以上のように視聴者は、変更すいた設定に応じた芳香を試験的に体感することができ、妥当な芳香を体感した場合、次のようにその新たな設定内容を登録する。なお、この登録先としては、上述した記憶部１３であってもよいし、ＤＶＤ自体であってもよい。
【０１３５】
次にステップＳ１０７では、制御部１９が、その確定ボタン３３などを押した時点で、芳香設定画面の入力項目に基づく新たな芳香制御情報が元々の芳香制御情報から変更されているか否かを判断する。制御部１９は、このような変更がない場合には、再度、上述した芳香設定画面を表示させる（ステップＳ１０１）。
【０１３６】
一方、制御部１９は、このような変更がある場合には元々の芳香制御情報を新たな芳香制御情報で更新する（ステップＳ１０７）。次にステップＳ１０８では、制御部１９が、図示しないリモートコントローラの設定ボタンが再度操作されたか否かを判断する。制御部１９は、この設定ボタンが再度操作されない場合には芳香設定画面を表示パネル７に表示させる一方（ステップＳ１０４）、この設定ボタンが再度操作された場合にはこの設定処理の実行を終了する。
【０１３７】
図１６は、芳香伝達装置１００の動作例を示すフローチャートである。この動作例（制御ステップに相当）では、上述した設定ステップにおいて変更された新たな芳香制御情報に基づいて、制御部１９が芳香射出装置９による芳香の射出を制御する処理を含んでいる。
【０１３８】
次にステップＳ１では、制御部１９によって、スイッチ部１７の一部としてのプレイボタン（再生ボタン）がオン（ＯＮ）されたか否かを検出する。このプレイボタンがＯＮとされた場合、指定されたタイトルのコンテンツを再生すべく、図示しないＤＶＤプレーヤに内蔵するピックアップがＤＶＤからコンテンツデータを読み出してコンテンツの再生の準備をする一方、この制御部１９が次のようなステップＳ２を実行する。
【０１３９】
このステップＳ２では、ＤＶＤからＤＶＤ制御ファイルが読み出される。次にステップＳ３では、このＤＶＤ制御ファイルに含まれる芳香制御情報の芳香フラグが制御部１９に転送される。
【０１４０】
このステップＳ４では、距離計測装置６が、出力源の一例としての表示パネル７の映像表示面と視聴者との離間距離を計測する。具体的には、まず、この距離計測装置６が、例えばカメラによって撮影した視聴者の顔に関する画像から、この視聴者の鼻を画像処理によって認識する。次にこの距離計測装置６が、この視聴者の鼻に向けて光や超音波を照射し、上記離間距離を計測している。なお、この距離計測装置６による離間距離の計測は、ステップＳ４を実行する時点の代わりに、電源スイッチがオンされた直後に行われるようにしても良い。
【０１４１】
次にステップＳ５では、制御部１９が、芳香２６の伝送速度及びこの離間距離に基づいて、この芳香射出装置９から射出された芳香２６が視聴者の鼻に到達するまでの所要時間を演算する。この演算式としては、次の式（１）のようになっている。芳香２６の伝送速度は、室温（例えば２０度）における芳香気団の移動速度が記憶部１３に記憶されており、ステップＳ５の実行前に予め設定されているものとする。また、芳香制御情報に射出速度が記述されている場合は記述されている射出速度を伝送速度とする。
「補正タイミング時間」＝「再生タイミング時間」−「映像表示面と芳香を感じる視聴者の鼻との距離」÷「芳香の伝送速度」  ・・・  （１）
なお、式（１）における「映像表示面と芳香を感じ取る視聴者の鼻との距離」は上記「離間距離」に相当し、「芳香の伝送速度」は上記「伝送速度」に相当する。
【０１４２】
次にステップＳ６では、この制御部１９が、この演算結果としての所要時間に応じて、上記補正タイミング時間を、芳香射出装置９によって実際に芳香２６を射出すべきタイミングとしてセットする。
【０１４３】
次にステップＳ７では、ＤＶＤに記録されているコンテンツデータに基づくコンテンツ（実体内容情報）が再生される。制御部１９は、このようなコンテンツの再生に同期させて、この芳香制御情報の芳香フラグに基づいて、補正タイミング時間にて再生期間にわたり芳香射出装置９を作動させるべく準備する。
【０１４４】
この準備としては、例えば、上述のようにセットされたタイミングによって、上述のように芳香射出装置９を作動させようとした本来の再生タイミング（本実施形態では「再生タイミング」と呼んでいる）から、上記所要時間分、この芳香射出装置９の射出タイミングをシフトさせる。本実施形態では、このようにシフトさせた射出タイミングを「補正タイミング」と呼んでいる。
【０１４５】
次にステップＳ８では、制御部１９が、現在の時刻が補正タイミング時間であるか否かを確認する。現在の時刻がこの補正タイミング時間でない場合、制御部１９が、現在の時刻がこの補正タイミング時間となるまで繰り返し、現在の時刻が上述した補正タイミング時間であるか否かの確認処理を繰り返す一方、現在の時刻がこの補正タイミング時間である場合、この制御部１９が、次のステップＳ９を実行する。
【０１４６】
このステップＳ９では、この芳香射出装置９が、このような制御部１９の制御によって、上記再生タイミングから補正タイミングにシフトさせて芳香２６を次のように射出するようになる。具体的には、制御部１９は、芳香制御情報の芳香フラグに応じて、芳香メインタンク２９から第１基本芳香２９ａなどの好適な基本芳香のいずれか又はこれらいずれかの組み合わせを選択すべくコック２８を制御する。
【０１４７】
すると、芳香混合部２１には、このコック２８を経由して所望の基本芳香２９ａなどが蓄積され、所望の種類の芳香（の気団）２６が蓄積される。この制御部１９は、芳香サブタンク２３を制御し、芳香混合部２１にて混合し終わった芳香２６を取り込む。そして芳香射出制御部２７は、芳香射出部２５が未使用状態であることを確認した後に、芳香サブタンク２３に取り込んだ芳香２６を芳香射出部２５に取り込む。
【０１４８】
そして制御部１９は、芳香制御情報の芳香フラグに応じた条件で圧電素子２５ｂを作動させ、この芳香射出部２５の内部の体積を再生期間にわたり変化させることにより、この芳香射出部２５に取り込まれた芳香２６を所定の伝送速度で射出する。
【０１４９】
このようにすると、視聴者が、接している映像や音に同期させた芳香２６を感じ取ることができることから、視覚や聴覚によりこれら映像や音を楽しむことができるばかりでなく、さらに嗅覚により、これら映像や音に合わせた芳香２６を楽しむことができる。
【０１５０】
次にステップＳ１０では、制御部１９が、このような再生期間が経過すると、このように射出した芳香２６を消失させるべく、この芳香射出装置９に脱臭気体を射出させる。具体的には、制御部１９は、芳香メインタンク２９から基本消臭剤２９ｇを選択すべくコック２８を制御する。なお、この基本消臭剤２９ｇは、上述した脱臭気体を生じさせるためのものである。
【０１５１】
すると、芳香混合部２１には、このコック２８を経由して基本消臭剤２９ｇが脱臭気体として蓄積される。この制御部１９は、芳香サブタンク２３を制御し、芳香混合部２１から脱臭気体を取り込む。そして制御部１９は、芳香射出部２５が未使用状態であることを確認した後に、この芳香サブタンク２３に取り込んだ脱臭気体を芳香射出部２５に取り込む。
【０１５２】
そして制御部１９は、芳香制御情報の芳香フラグに応じた条件で圧電素子２５ｂを作動させ、この芳香射出部２５の内部の体積を再生期間にわたり変化させることにより、この芳香射出部２５に取り込まれた脱臭気体を所定の伝送速度で射出する。
【０１５３】
このようにすると、視聴者が、接している映像や音に同期させた芳香２６を感じつつも、このような脱臭気体によりその芳香２６が好適なタイミングで消臭されることから、新たに射出された他の芳香２６と混合せず、これら映像や音に合わせた芳香２６を楽しむことができる。
【０１５４】
次にステップＳ１１では、再生している１つのタイトルのコンテンツが終了であるか否か、つまり、ＤＶＤプレーヤがＤＶＤから読み出すべきコンテンツデータが終了であるか否かを判断する。１つのタイトルのコンテンツの終了にまでに至っていない場合には、ＤＶＤプレーヤがＤＶＤからこのタイトルのコンテンツの再生を継続する。一方、制御部１９は、上記ステップＳ８〜ステップＳ１０の実行を再度行う。一方、その１つのタイトルの再生を終了する場合には、そのＤＶＤプレーヤがＤＶＤからのコンテンツの再生（プレイ）を停止（オフ）とする（ステップＳ１２）。
【０１５５】
上記実施形態における芳香伝達装置１００は、芳香を射出する芳香射出手段９（芳香射出装置に相当）と、上記芳香射出手段９による芳香の射出を制御するための芳香制御情報を記憶する芳香制御情報記憶手段１３（記憶部に相当）と、上記芳香制御情報記憶手段１３に記憶している上記芳香制御情報の設定内容を変更する設定変更手段（設定変更画面に相当）と、上記設定変更手段によって変更された新たな芳香制御情報に基づいて、上記芳香射出手段９による芳香の射出を制御する制御手段１９（制御部に相当）とを有する。
【０１５６】
上記実施形態における芳香伝達方法は、設定変更手段によって、芳香を射出する芳香射出手段９（芳香射出装置に相当）による芳香の射出を制御するための芳香制御情報の設定内容を変更し、新たな芳香制御情報を芳香制御情報記憶手段１３（記憶部に相当）に記憶する設定変更ステップと、上記設定変更手段によって変更された上記芳香制御情報記憶手段１３の新たな芳香制御情報に基づいて、制御手段１９が上記芳香射出手段９による芳香の射出を制御する制御ステップとを有する。
【０１５７】
以上のようにすると、例えば視聴者が自らの好みに応じて、設定変更手段によって芳香制御情報の設定内容を変更すれば、制御手段１９が、その変更後の芳香制御情報に基づいて、芳香射出手段による芳香の射出を制御するようになる。このため、芳香射出手段によって射出される芳香の射出状態を、視聴者の好みに合わせて所望の態様に制御することができる。
【０１５８】
上記実施形態における芳香伝達装置１００は、上記構成に加えてさらに、映像を表示する表示手段７（表示パネルに相当）を有し、上記設定変更手段１９（制御部に相当）は、上記表示手段７（表示パネルに相当）に、上記芳香制御情報の設定内容を表示させる設定情報表示手段と、上記表示手段７に表示された上記芳香制御情報に応じて、所望の変更内容を入力する入力手段（表示ボタンなどに粗相当）と、上記入力手段によって入力された所望の変更内容に基づいて、上位芳香制御情報を上記新たな芳香制御情報に更新する更新手段とを有する。
【０１５９】
このようにすると、視聴者が、現在の芳香制御情報の内容を視覚的に確認した上で、意図した芳香が射出されるようにすることができる。このため視聴者は、自ら意図した態様で芳香が射出されることになり、心地よく芳香を楽しむことができる。
【０１６０】
上記実施形態における芳香伝達装置１００は、上記構成に加えてさらに、上記設定情報表示手段１９は、上記表示手段１５に、上記芳香射出手段９から芳香を射出すべきか又は射出を規制すべきかについて設定するための設定項目（芳香射出機能設定）を表示させる。
【０１６１】
このようにすると、視聴者が望む場合にのみ芳香射出手段９が芳香を射出するようになる。このため視聴者が、所望の場面でのみ射出された芳香を楽しむことができる。
【０１６２】
上記実施形態における芳香伝達装置１００は、上記構成に加えてさらに、上記設定情報表示手段１９は、上記芳香制御情報に基づいて、上記表示手段７に、上記映像を構成する各場面（シーンに相当）に応じて上記芳香射出手段９から芳香を射出すべきか否かを設定するための設定項目（射出場面設定項目に相当）を表示させる。
【０１６３】
このようにすると、視聴者の所望の場面でのみ芳香射出手段９が芳香を射出するようになるため、視聴者は、例えば特定の場面で射出されていたであろう意図しない場面で射出された芳香所望の場面でのみ射出された芳香を楽しむことができる。
【０１６４】
上記実施形態における芳香伝達装置１００は、上記構成に加えてさらに、上記設定情報表示手段１９は、上記芳香制御情報に基づいて、上記表示手段７に、上記映像を構成する各場面に応じて前上記記芳香射出手段９から射出すべき芳香の種類を設定するための設定項目を表示させる。
【０１６５】
このような構成とすると、芳香射出手段９が、映像を構成する各場面において所望の種類の芳香のみを射出するようになる。このため視聴者が、映像を見るにあたり所望の種類の芳香のみに接するようになるため、心地よく映像を楽しむことができる。
【０１６６】
上記実施形態における芳香伝達装置１００は、上記構成に加えてさらに、上記設定情報表示手段１９は、上記芳香制御情報に基づいて、上記射出場面設定項目として、各上記場面において射出すべき芳香を構成する各基本芳香２９ａなどの混合割合を示す混合割合表示項目を表示させるとともに、各基本芳香２９ａなどの混合割合を調整するための混合割合調整項目を表示させる。
【０１６７】
このような構成とすると、視聴者の嗅覚に応じて微調整を行うことができる。このため視聴者は、さらに心地よく嗅覚により芳香を楽しむことができる。
【０１６８】
上記実施形態における芳香伝達装置１００は、上記構成に加えてさらに、所望の芳香を構成するために組み合わせるべき複数の基本芳香を混合する芳香混合手段と、上記芳香混合手段２１（芳香混合部に相当）に、上記複数の基本芳香のうち、上記設定項目に対する所望の変更事項に基づく新たな芳香制御情報に基づいて選択した基本芳香によって上記所望の芳香を生成させる芳香混合制御手段２７（芳香射出制御部）とを有する。
【０１６９】
このような構成とすると、芳香混合制御手段２７は、新たな芳香制御情報に基づいて芳香混合手段２１に様々な種類の芳香を生成させることができる。
【０１７０】
上記実施形態における芳香伝達装置１００は、上記構成に加えてさらに、上記設定情報表示手段１９は、上記芳香混合制御手段２７が上記芳香混合手段２１に上記所望の芳香を生成させた場合、上記所望の芳香を、試行的に、上記芳香射出手段９に射出させるためのボタンを上記表示手段７に表示させる。
【０１７１】
このようにすると、所望の芳香を実際の映像とともに射出する前に、この所望の芳香が意図した香りとなっているか否かを確認することができる。
【０１７２】
上記実施形態における芳香伝達装置１００は、上記構成に加えてさらに、芳香を射出する芳香射出手段９（芳香射出部に相当）を有し、上記制御手段１９（制御部に相当）上記芳香射出手段９から対象者３１（視聴者に相当）の鼻までの離間距離を計測する距離計測手段６（距離計測装置に相当）と、上記離間距離に基づいて、上記芳香射出手段９から射出された上記芳香が上記対象者３１の鼻に到達するまでの所要時間ΔＴを演算し、上記所要時間に応じて上記芳香射出手段９による上記芳香２６の射出タイミングを補正して上記芳香射出手段９を制御する制御手段１９（制御部に相当）とを備える。
【０１７３】
このようにすると、芳香射出手段９が射出した芳香２６は、映像及び音の少なくとも一方に合わせて、適切なタイミング（補正タイミング時間）で視聴者３１の鼻に到達する。このため、この映像などに接している視聴者３１は、この映像などに同期して提供された芳香２６によって違和感なくより臨場感豊かに、この映像などを楽しむことができる。
【０１７４】
上記実施形態における芳香伝達装置１００は、上記構成に加えてさらに、上記映像及び音の少なくとも一方を出力する出力源７，４（表示パネル、スピーカー）を有し、上記制御手段１９は、上記対象者が芳香を伴う映像または音を視聴するタイミングと、上記芳香を感じるタイミングが一致するように、上記射出タイミングを補正する。
【０１７５】
以上のようにすると、芳香射出手段９が射出した芳香２６は、出力源７，４から出力された映像及び音の少なくとも一方に合わせて、適切なタイミング（補正タイミング時間）で視聴者３１の鼻に到達する。このため、この映像などに接している視聴者３１は、この出力源７，４から出力された映像などに同期して提供された芳香２６によって違和感なくより臨場感豊かに、この映像などを楽しむことができる。
【０１７６】
上記実施形態における芳香伝達装置１００は、上記構成に加えてさらに、上記映像及び音の少なくとも一方がコンテンツデータとして記録媒体（ＤＶＤ）に記録されており、この記録媒体は、上記映像及び音の少なくとも一方の内容自体を表す実体内容情報と、上記芳香制御情報とを含み、上記制御手段１９（芳香射出制御部）は、上記記録媒体から取得した上記芳香制御情報に基づいて上記芳香射出手段９を制御する。
【０１７７】
このような構成とすると、芳香制御情報を記録した記録媒体を用意しておけば、制御手段１９は、この記録媒体から取得した芳香制御情報に基づいて、映像などの再生に同期させて所望の芳香を射出することができる。すると視聴者３１は、再生された映像などを視覚などによって楽しむことができるとともに、この映像などに同期した芳香２６を嗅覚によって楽しむことで、より臨場感豊かに映像などを楽しむことができる。
【０１７８】
＜第２実施形態＞
図１７は、第２実施形態における芳香伝達装置１００に提供すべき芳香制御情報などを送信する送信装置５０の構成例を示すブロック図である。
【０１７９】
図１８は、第２実施形態における芳香伝達装置１００に提供すべき芳香制御情報を受信する受信装置６０の構成例を示すブロック図である。
【０１８０】
第２実施形態における芳香伝達装置１００及び表示装置１は、各々、第１実施形態における芳香伝達装置１００及び表示装置１とほぼ同様の構成でありほぼ同様の動作である。このため第２実施形態では、同一の構成及び動作については第１実施形態における図２乃至図１６と同一の符号を用いるとともに、その説明を省略し、以下の説明では異なる点を中心として説明する。
【０１８１】
第１実施形態では、制御部１９が、ＤＶＤからコンテンツデータ（実体内容情報）とともに芳香制御情報を取得していたが、第２実施形態では、この制御部１９が、いわゆるディジタル放送における放送データから、コンテンツデータ（実体内容情報）とともに芳香制御情報（前述のＤＶＤと同様な）を取得している。つまり第２実施形態では、第１実施形態のようにＤＶＤなどの記録媒体に芳香制御情報を入れておいたのに対して、ストリーム系の放送データにおける制御ファイルに芳香制御情報を入れておく点が異なっている。
【０１８２】
図１７に示す送信装置５０は、例えばいわゆるディジタル放送事業者において設置された送信設備の一部である。この送信装置５０は、所定のコンテンツの再生に用いる放送データを送信する機能を有する。この送信装置５０は、符号化部５１，５２，５３、グループ化パケット多重化部５４（以下「パケット多重化部５４」という）、変調部５５、送信部５６及びアンテナ５７を備えている。
【０１８３】
符号化部５１，５２，５３は、それぞれ、芳香制御情報、映像信号及び音信号を符号化（圧縮）する機能を有する。パケット多重化部５４は、これら符号化された芳香制御情報、映像信号及び音信号をグループ化しつつパケット単位で多重化する機能を有する。
【０１８４】
このときパケット多重化部５４は、例えば多重化したデータに誤り訂正符号を付している。変調部５５は、多重化されたこれらデータをディジタル変調し、送信部５６に出力する。この送信部５６は、引き渡されたデータをアンテナ５７を経由して放送データとして送信する。
【０１８５】
一方、図１８に示す受信装置６０は、例えば一般家庭に設置される受信チューナである。この受信チューナは、その放送データを受信する機能を有する。この受信装置６０は、符号化部６１，６２，６３、誤り訂正多重分離部６４、変調部６５、送信部６６及びアンテナ６７を備えている。
【０１８６】
受信部６６は、アンテナ６７を介して受信した放送データを復調部６６に引き渡す。この復調部６６は、この放送データをディジタル復調し、誤り訂正多重分離部６４に引き渡す。
【０１８７】
この誤り訂正多重分離部６４は、ディジタル復調された放送データを誤り訂正処理を実行する。次にこの誤り訂正多重分離部６４は、多重化された芳香制御情報、映像信号及び音信号を各々分離し、符号化部６１，６２，６３に引き渡す。これら符号化部６１，６２，６３は、各々芳香制御情報、映像信号及び音信号を各々復号化し、芳香制御情報、映像信号及び音信号を生成する。
【０１８８】
上記制御部１９は、以上のように受信装置６０によって送信装置５０から受信した芳香制御情報を取得する。この制御部１９は、この映像信号に基づいて表示パネル７に表示された映像に同期させるとともに、この音信号に基づいてスピーカー４に出力された音に同期させて、この芳香制御情報に基づいて芳香射出装置９を制御する。このとき、この制御部１９は、第１実施形態と同様に芳香制御情報の芳香フラグの内容に応じて、芳香射出装置９に、上記再生タイミング時間の代わりに、補正タイミング時間から再生期間に渡り、所望の芳香２６を射出させるように制御している。
【０１８９】
第２実施形態における芳香伝達装置１００は、上記第１実施形態の構成に加えてさらに、映像及び音の少なくとも一方がコンテンツデータとして配信されており、このコンテンツデータは、上記映像及び音の少なくとも一方の内容自体を表す実体内容情報と、上記芳香射出手段９による芳香の射出を制御するための芳香制御情報とを含み、上記制御手段１９（制御部）は、受信した上記芳香制御情報に基づいて上記芳香射出手段９（芳香射出部）を制御する。
【０１９０】
このような構成とすると、配信すべき実体内容情報（コンテンツデータ）とともに芳香制御情報を用意しておけば、制御手段１９（制御部）は、この取得した芳香制御情報に基づいて、映像などの再生に同期させて、芳香射出装置９に所望の芳香２６を射出させる。すると視聴者３１は、再生された映像などを楽しむことができるとともに、この映像などに同期しているとともに視聴者の好みの態様に調整された芳香２６が提供されることで、より臨場感豊かに映像などを楽しむことができる。
【０１９１】
なお、本実施形態は、上記に限られず、種々の変形が可能である。以下、そのような変形例を順を追って説明する。
【０１９２】
上記第２実施形態では、いわゆるディジタル放送に適用した形態を例示したが、これに限られず、いわゆるアナログ放送に適用しても良い。
【０１９３】
上記実施形態では、記録媒体の一例としてのＤＶＤに、コンテンツとともに芳香制御情報を記録していたが、例えばいわゆるＢｌｕ−Ｒａｙディスクのユーザエリアに記録しておき、コンテンツの出力に同期させて芳香２６を出力するようにしても良い。また、ディジタル／アナログ放送波に限らずインターネットで配信されるデータストリーム中に芳香制御情報を記録しても良い。また上記コンテンツデータが芳香制御情報を含んでいてもよい。
【０１９４】
上記実施形態においては、芳香伝達装置１００が、映像などのコンテンツの出力に同期させて芳香２６を出力している場合に、このコンテンツの聴従させて芳香２６を射出している旨の表示（例えば「芳香タイム」という表示）を行うことができる。
【０１９５】
上記実施形態では、芳香伝達装置１００が、映像などのコンテンツの出力に同期させて好適なタイミングで芳香２６を射出することを例示しているが、これに限られない。すなわち、上記実施形態では、例えば視聴者３１が食事中である場合のように、このように射出すべき芳香２６の他にも香りが存在しうるときには、芳香伝達装置１００に、芳香２６の射出についてオン又はオフを切り替える機能を備えていても良い。なお、このオン又はオフを切り替える機能としては、視聴者３１がリモートコントローラによって芳香伝達装置１００に指示を与えることができるようにしてもよい。
【０１９６】
また、上記実施形態では、視聴者３１が１名であることを例示しているが、これに限られず、視聴者３１が複数名であっても良い。この場合、芳香伝達装置１００は、その距離計測装置６によって視聴者３１が複数いることを認識した場合、制御部１９が、芳香射出装置９に射出させるべき芳香２６の量を増加させるようにしてもよい。
【０１９７】
上記実施形態においては、芳香射出装置９が、芳香２６のみならず脱臭気体の両方を射出しているが、これに限られず、芳香２６と脱臭気体を別々の射出部から射出する形態を採用しても良い。
【０１９８】
上記実施形態では、表示装置１が芳香伝達装置１００を内蔵している形態を例示しているが、これに限られず、芳香伝達装置１００が表示装置１とは別体となっている形態であっても良い。さらに芳香伝達装置１００自体が、映像及び音の少なくとも一方を出力する出力源（表示パネル７及びスピーカー４の少なくとも一方）を含んだ表示装置１であってもよい。
【図面の簡単な説明】
【０１９９】
【図１】本発明の概念を適用した概念的な実施形態の一例を示すブロック図である。
【図２】第１実施形態としての芳香伝達装置を備える表示装置の外観の一例を示す正面図である。
【図３】図２に示す表示装置が内蔵する芳香伝達装置の電気的な構成例を示すブロック図である。
【図４】図３に示す芳香射出部の構成例を示すブロック図である。
【図５】図４に示す芳香サブタンクの構成例を示す断面図である。
【図６】芳香射出装置が視聴者に対して芳香を射出する様子を上方から見た場合の一例を示す平面図である。
【図７】芳香射出装置が視聴者に対して芳香を射出する様子を側方から見た場合の一例を示す平面図である。
【図８】上記ＤＶＤへコンテンツデータ及び芳香制御情報を記録する記録装置の構成例を示すブロック図である。
【図９】ビデオファイルのフォーマットの一例を示す図である。
【図１０】制御部が用いる芳香制御情報などのフォーマット例を示す図である。
【図１１】芳香制御情報のデータ項目の一例を示す図である。
【図１２】表示パネルに表示される設定画面の構成例を示す図である。
【図１３】表示パネルに表示される芳香設定画面の構成例を示す図である。
【図１４】表示パネルに表示される調整場面画面の一例を示す図である。
【図１５】芳香伝達装置を含む表示装置の設定処理の手順を表すフローチャートである。
【図１６】芳香射出装置の動作例を示すフローチャートである。
【図１７】第２実施形態における芳香射出装置に提供すべき芳香制御情報を送信する送信装置の構成例を示すブロック図である。
【図１８】第２実施形態における芳香射出装置に提供すべき芳香制御情報を受信する受信装置の構成例を示すブロック図である。
【符号の説明】
【０２００】
１                表示装置（出力装置に相当）
４                スピーカー（出力源に相当）
６                距離計測装置（距離計測手段に相当）
７                表示パネル（出力源に相当）
９                芳香射出装置（芳香射出手段に相当）
１３              記憶部（芳香制御情報記憶手段の一部に相当）
１３ａ            フラッシュメモリ（芳香制御情報記憶手段に相当）
１９              制御部（制御手段に相当）
２１              芳香混合部（芳香混合手段に相当）
２７              芳香射出制御部（制御手段、芳香射出制御手段に相当）
１００            芳香伝達装置
【図１】
0005123611.tif 000002
【図２】
0005123611.tif 000003
【図３】
0005123611.tif 000004
【図４】
0005123611.tif 000005
【図５】
0005123611.tif 000006
【図６】
0005123611.tif 000007
【図７】
0005123611.tif 000008
【図８】
0005123611.tif 000009
【図９】
0005123611.tif 000010
【図１０】
0005123611.tif 000011
【図１１】
0005123611.tif 000012
【図１２】
0005123611.tif 000013
【図１３】
0005123611.tif 000014
【図１４】
0005123611.tif 000015
【図１５】
0005123611.tif 000016
【図１６】
0005123611.tif 000017
【図１７】
0005123611.tif 000018
【図１８】
0005123611.tif 000019